(57)【特許請求の範囲】
【請求項１】
放送される複数の番組のコンテンツデータを記録するコンテンツ記録手段と、
前記番組のコンテンツデータを、録画日時と録画時間との設定を受け付けて録画予約する録画予約手段と、
前記コンテンツ記録手段に記録されたコンテンツデータを削除する削除手段と
を備え、
前記録画予約手段は、予め設定された放送日時毎に同名タイトルで放送されるシリーズ番組のコンテンツデータを録画予約し、
前記削除手段は、前記シリーズ番組の視聴時間の合計時間が予め設定された時間に満たない場合、当該シリーズ番組の録画予約と、前記コンテンツ記録手段に記録された未視聴であるコンテンツデータを含む当該シリーズ番組のコンテンツデータを削除する
ことを特徴とするコンテンツ記録装置。
【請求項２】
前記コンテンツ記録手段によって記録された番組のコンテンツデータの削除を推薦する削除推薦ポイントを含む画面を表示するよう制御する手段と、
前記画面上で前記削除推薦ポイントが示される番組のコンテンツデータの削除をユーザに許可する削除手段と
を更に備えたことを特徴とする請求項１記載のコンテンツ記録装置。
【請求項３】
電源投入時に、前記コンテンツ記録手段に記録されている全番組のコンテンツデータの記録容量が予め設定された許容量を超えている場合、前記番組毎に、コンテンツデータを削除推薦する順位を示す削除推薦ポイントを設定する手段と、
前記記録容量が該許容量を下回るまで、前記削除推薦ポイントに応じて番組のコンテンツデータを削除する削除手段と
を更に備えたことを特徴とする請求項１記載のコンテンツ記録装置。
【請求項４】
前記録画時間に基づいて、番組のコンテンツデータの予約容量を算出する手段と、
前記予約容量が前記コンテンツ記録手段の空き容量を超える日時情報を表示する手段と
を更に備えたことを特徴とする請求項１記載のコンテンツ記録装置。
【請求項５】
前記算出されたコンテンツデータの予約容量に、前記コンテンツ記録手段の空き容量を超えるまで、次の録画日時に録画予約されたコンテンツデータの予約容量を加算する手段を更に備え、
前記表示する手段は、前記加算された予約容量が前記空き容量を超えるときの日時情報を表示する
ことを特徴とする請求項４記載のコンテンツ記録装置。
【発明の詳細な説明】
【技術分野】
【０００１】
本発明は、削除すべきコンテンツデータをユーザの嗜好を反映して抽出し得るコンテンツ記録装置に関する。
【背景技術】
【０００２】
近年、テレビジョン放送（ＴＶ放送）の番組等を録画して、録画した番組等のコンテンツデータを記録するコンテンツ記録装置が普及している。このコンテンツ記録装置においては、ハードディスクドライブ（ＨＤＤ）やデジタルバーサタイルディスク（ＤＶＤ）等の記録手段が利用されて、映像や音声等のコンテンツデータが記録される。
【０００３】
一方、ＨＤＤ等の記録容量の大容量化に伴い、録画可能な番組数が大幅に増加している。そのため、ユーザにとっては、録画した番組の中から再生しようとする番組を見つける手間が煩雑化してきている。そこで、録画した番組の中から再生する番組を容易に見つける方法が必要である。
【０００４】
また、ＨＤＤ等の記録容量は有限であるので、録画した番組の中から削除してもよい番組のコンテンツデータを特定できるようにする必要がある。
【０００５】
これに関し、録画された複数のコンテンツデータのうち削除してもよいコンテンツデータを容易に特定できるようにするコンテンツデータ管理装置が提案されている（例えば、特許文献１参照）。
【特許文献１】特開２００４−２９７４２７号公報
【発明の開示】
【発明が解決しようとする課題】
【０００６】
しかしながら、上述した特許文献１のコンテンツデータ管理装置は、必ずしもユーザの嗜好を反映した上で、削除してもよいコンテンツデータを特定できるようにしているわけではない。
【０００７】
また、電子番組ガイド（ＥＰＧ：Electronic Program Guide）等の番組表を利用して、ユーザが予め選択した番組を定期的に自動録画することができるコンテンツ記録装置においては、自動録画機能が一度設定された後は、その機能が解除されるまで自動的に番組の録画を繰り返すことになる。そのため、ユーザが意識しないうちにＨＤＤ等の記録容量を圧迫する事態が生じることがある。
【０００８】
本発明は、上記実情に鑑みてなされたものであり、ユーザの嗜好を反映して、削除すべきコンテンツデータを抽出し得るコンテンツ記録装置を提供することを目的とする。
【０００９】
さらに、本発明は、コンテンツデータを記録する記録装置の記録容量を確保し得るコンテンツ記録装置を提供することを目的とする。
【課題を解決するための手段】
【００１０】
本発明は上記課題を解決するために以下の手段を講じる。
【００１１】
本発明の第1の観点は、放送される複数の番組のコンテンツデータを記録するコンテンツ記録手段と、前記番組毎に、該番組の特徴を示す番組特徴データと、該番組の記録時間データと、該番組をユーザが視聴した視聴時間データと、該番組をユーザが最後に視聴した最終視聴日データと、該番組の記録方法を示す記録種別データとを記憶する番組情報記憶手段と、前記番組毎に、前記番組情報記憶手段から読出した番組特徴データと、前記ユーザの嗜好を示す嗜好データとに基づいて、前記番組のコンテンツデータの削除を推薦するための第１削除推薦ポイントを算出する第１算出手段と、前記番組毎に前記第１削除推薦ポイントに基づいて総合削除推薦ポイントを算出する総合削除推薦ポイント算出手段と、前記番組を識別する番組識別情報を前記総合削除推薦ポイント順に並べた削除推薦リストを作成するリスト作成手段とを備えたコンテンツ記録装置である。
【００１２】
本発明の第２の観点は、放送される複数の番組のコンテンツデータを記録するコンテンツ記録手段と、前記番組毎に、該番組の特徴を示す番組特徴データと、該番組の記録時間データと、該番組をユーザが視聴した視聴時間データと、該番組をユーザが最後に視聴した最終視聴日データと、該番組の記録方法を示す記録種別データとを記憶する番組情報記憶手段と、前記番組毎に前記番組情報記憶手段から読出した最終視聴日データに基づいて番組のコンテンツデータの放置時間を示す第２削除推薦ポイントを算出する第２算出手段と、前記番組毎に前記第２削除推薦ポイントに基づいて総合削除推薦ポイントを算出する総合削除推薦ポイント算出手段と、前記番組を識別する番組識別情報を前記総合削除推薦ポイント順に並べた削除推薦リストを作成するリスト作成手段とを備えたコンテンツ記録装置である。
【００１３】
本発明の第３の観点は、放送される複数の番組のコンテンツデータを記録するコンテンツ記録手段と、前記番組毎に、該番組の特徴を示す番組特徴データと、該番組の記録時間データと、該番組をユーザが視聴した視聴時間データと、該番組をユーザが最後に視聴した最終視聴日データと、該番組の記録方法を示す記録種別データとを記憶する番組情報記憶手段と、前記番組毎に前記番組情報記憶手段から視聴時間データと記録時間データとを読出し、該視聴時間を該記録時間で割った値を示す第３削除推薦ポイントを算出する第３算出手段と、前記番組毎に前記第３削除推薦ポイントに基づいて総合削除推薦ポイントを算出する総合削除推薦ポイント算出手段と、前記番組を識別する番組識別情報を前記総合削除推薦ポイント順に並べた削除推薦リストを作成するリスト作成手段とを備えたコンテンツ記録装置である。
【００１４】
本発明の第４の観点は、放送される複数の番組のコンテンツデータを記録するコンテンツ記録手段と、前記番組毎に、該番組の特徴を示す番組特徴データと、該番組の記録時間データと、該番組をユーザが視聴した視聴時間データと、該番組をユーザが最後に視聴した最終視聴日データと、該番組の記録方法を示す記録種別データとを記憶する番組情報記憶手段と、前記番組毎に前記番組情報記憶手段から記録種別データを読出し、該記録方法に応じた第４削除推薦ポイントを算出する第４算出手段と、前記番組毎に前記第４削除推薦ポイントに基づいて総合削除推薦ポイントを算出する総合削除推薦ポイント算出手段と、前記番組を識別する番組識別情報を前記総合削除推薦ポイント順に並べた削除推薦リストを作成するリスト作成手段とを備えたコンテンツ記録装置である。
【００１５】
本発明の第５の観点は、放送される複数の番組のコンテンツデータを記録するコンテンツ記録手段と、前記番組毎に、該番組の特徴を示す番組特徴データと、該番組の記録時間データと、該番組をユーザが視聴した視聴時間データと、該番組をユーザが最後に視聴した最終視聴日データと、該番組の記録方法を示す記録種別データとを記憶する番組情報記憶手段と、前記番組毎に、前記番組情報記憶手段から読出した番組特徴データと、前記ユーザの嗜好を示す嗜好データとに基づいて、前記番組のコンテンツデータの削除を推薦するための第１削除推薦ポイントを算出する第１算出手段と、前記番組毎に前記番組情報記憶手段から読出した最終視聴日データに基づいて番組のコンテンツデータの放置時間を示す第２削除推薦ポイントを算出する第２算出手段と、前記番組毎に前記番組情報記憶手段から視聴時間データと記録時間データとを読出し、該視聴時間を該記録時間で割った値を示す第３削除推薦ポイントを算出する第３算出手段と、前記番組毎に前記番組情報記憶手段から記録種別データを読出し、該記録方法に応じた第４削除推薦ポイントを算出する第４算出手段と、前記番組毎に前記第１乃至第４削除推薦ポイントに基づいて総合削除推薦ポイントを算出する総合削除推薦ポイント算出手段と、前記番組を識別する番組識別情報を前記総合削除推薦ポイント順に並べた削除推薦リストを作成するリスト作成手段とを備えたコンテンツ記録装置である。
【００１６】
本発明の第６の観点は、第5の観点に対応するコンテンツ記録装置において、前記総合削除推薦ポイント算出手段は、前記第３削除推薦ポイントが予め設定された値より小さい番組については、前記総合削除推薦ポイントを算出しないコンテンツ記録装置である。
【００１７】
本発明の第７の観点は、第５または第6の観点に対応するコンテンツ記録装置において、前記記録種別データは、前記番組の記録方法として、自動録画を示すものを含み、前記総合削除推薦ポイント算出手段は、前記第２削除推薦ポイントが、自動録画でない値を示す番組については、前記総合削除推薦ポイントを算出しないコンテンツ記録装置である。
【００１８】
本発明の第８の観点は、第５〜第７の観点に対応するコンテンツ記録装置において、放送番組の番組表情報を取得するための手段と、前記番組表情報から番組の放送時間データを抽出する手段とをさらに具備し、前記第３算出手段は、該視聴時間を前記放送時間と前記記録時間とのうち、短い時間で割った値を示す第３削除推薦ポイントを算出するコンテンツ記録装置である。
【００１９】
本発明の第9の観点は、第５の観点に対応するコンテンツ記録装置において、前記番組情報記憶手段は、前記番組毎に、同名タイトルで放送される連続番組を識別するシリーズ識別番号を関連付けて記憶し、リスト作成手段は、前記シリーズ識別番号が同一の番組の総合削除推薦ポイントを加算し、前記加算された総合削除推薦ポイント順に、該シリーズ識別番号に関連付けられた連続番組のタイトルを代表したものだけを並べた削除推薦リストを作成するコンテンツ記録装置である。
【００２０】
本発明の第１０の観点は、第5〜第９の観点に対応するコンテンツ記録装置において、前記コンテンツ記録手段に記録されている全番組のコンテンツデータの記録容量が予め設定された許容量を超えた場合、該記録容量が該許容量を下回るまで、前記総合削除推薦ポイント順に番組のコンテンツデータを削除する手段をさらに備えたコンテンツ記録装置である。
【００２１】
本発明の第１１の観点は、第5〜第１０の観点に対応するコンテンツ記録装置において、電源投入時に、前記コンテンツ記録手段に記録されている全番組のコンテンツデータの記録容量が予め設定された許容量を超えている場合、該記録容量が該許容量を下回るまで、前記総合削除推薦ポイント順に番組のコンテンツデータを削除する手段をさらに備えたコンテンツ記録装置である。
【００２２】
本発明の第１２の観点は、第５〜第１１の観点に対応するコンテンツ記録装置において、電源投入時に、前記コンテンツ記録手段に記録されている全番組のコンテンツデータの記録容量が予め設定された第１容量を超えている場合、該第１容量より小さい値の第２容量を該記録容量が下回るまで、前記総合削除推薦ポイント順に番組のコンテンツデータを削除する手段をさらに備えたコンテンツ記録装置である。
【００２３】
本発明の第１３の観点は、第５〜第１２の観点に対応するコンテンツ記録装置において、番組の録画を予約する手段と、前記番組の録画予約時に、前記コンテンツ記録手段に記録される全番組のコンテンツデータの記録容量が予め設定された許容量を超えている場合、該記録容量が該許容量を下回るまで、前記総合削除推薦ポイント順に番組のコンテンツデータを削除する手段とをさらに備えたコンテンツ記録装置である。
【００２４】
本発明の第１４の観点は、放送される複数の番組のコンテンツデータを記録するコンテンツ記録手段と、前記番組毎に、該番組のコンテンツデータを削除推薦する順位を示す削除推薦ポイントを算出する手段と、前記各番組の番組情報を前記削除推薦ポイント順に並べて表示するための表示手段とを備えたコンテンツ記録装置である。
【００２５】
本発明の第１５の観点は、第１４の観点に対応するコンテンツ記録装置において、前記表示手段は、前記削除推薦ポイントが予め設定された値以上の番組の番組情報を表示するコンテンツ記録装置である。
【００２６】
本発明の第１６の観点は、第１４または第１５の観点に対応するコンテンツ記録装置において、前記表示手段は、各番組のサムネール画像を前記削除推薦ポイント順に、該ポイントに応じた色調で表示するコンテンツ記録装置である。
【００２７】
本発明の第１７の観点は、第１４〜第１６の観点に対応するコンテンツ記録装置において、前記表示手段により表示された番組情報に基づいて選択された番組のコンテンツデータを再生する手段をさらに備えたコンテンツ記録装置である。
【００２８】
本発明の第１８の観点は、第１４〜第１７の観点に対応するコンテンツ記録装置において、前記コンテンツ記録手段に記録された全番組のコンテンツデータを予め設定された許容量まで削除することを促すとともに、削除指示を受け付ける削除受付画面を表示する画面表示手段と、前記削除受付画面を介して削除指示を受け付けた場合、前記コンテンツデータの記録容量が前記許容量を下回るまで、前記削除推薦ポイント順に番組のコンテンツデータを削除する手段とをさらに備えたコンテンツ記録装置である。
【００２９】
本発明の第１９の観点は、第１８の観点に対応するコンテンツ記録装置において、前記予め設定された許容量は、前記コンテンツ記録手段の空き容量に応じて設定された値であるコンテンツ記録装置である。
【００３０】
本発明の第２０の観点は、第１８または第１９の観点に対応するコンテンツ記録装置において、前記画面表示手段は、装置本体の電源投入時に、前記削除受付画面を表示する
コンテンツ記録装置である。
【００３１】
本発明の第２１の観点は、第１４〜第２０の観点に対応するコンテンツ記録装置において、前記コンテンツ記録手段により記録されたコンテンツデータを予め設定された許容量まで削除することを促すとともに、番組毎に設けたチェックボックスにより削除指示を受け付ける削除受付画面を表示する手段と、前記削除受付画面上でチェックボックスが選択された場合、選択されたチェックボックスに対応する番組のコンテンツデータを削除する手段とを備えたコンテンツ記録装置である。
【００３２】
本発明の第２２の観点は、放送される複数の番組のコンテンツデータを記録するコンテンツ記録手段と、電源投入時に、前記コンテンツ記録手段に記録されている全番組のコンテンツデータの記録容量が予め設定された許容量を超えている場合、前記番組毎に、コンテンツデータを削除推薦する順位を示す削除推薦ポイントを設定する手段と、前記記録容量が該許容量を下回るまで、前記削除推薦ポイント順に番組のコンテンツデータを削除する手段とを備えたコンテンツ記録装置である。
【００３３】
本発明の第２３の観点は、放送される複数の番組のコンテンツデータを記録するコンテンツ記録手段と、前記番組のコンテンツデータを指定された日時に録画予約する手段と、前記コンテンツデータの録画予約時に、前記コンテンツ記録手段に記録される全番組のコンテンツデータの記録容量が予め設定された許容量を超えた場合、前記番組毎に、コンテンツデータを削除推薦する順位を示す削除推薦ポイントを設定する手段と、前記記録容量が該許容量を下回るまで、前記削除推薦ポイント順に番組のコンテンツデータを削除する手段とを備えたコンテンツ記録装置である。
【００３４】
本発明の第２４の観点は、放送される複数の番組のコンテンツデータを記録するコンテンツ記録手段と、予め設定された放送日時毎に同名タイトルで放送される連続番組のコンテンツデータを、該放送日時を含む録画予約情報を指定して録画予約するための録画予約手段と、前記番組毎に、前記同名タイトルを識別するシリーズ識別番号と、該番組の特徴を示す番組特徴データと、該番組をユーザが視聴した視聴時間データと、該番組の記録時間データとを関連付けて記憶する番組情報記憶手段と、視聴時間の合計時間が予め設定された時間に満たない場合、前記同一のシリーズ識別番号を有する番組の録画予約情報と、前記コンテンツ記録手段に記録される番組のコンテンツデータのうち該シリーズ識別番号を有する番組のコンテンツデータとを削除する削除手段とを備えたコンテンツ記録装置である。
【００３５】
本発明の第２５の観点は、第２４の観点に対応するコンテンツ記録装置において、前記番組特徴データに、最終回を示すデータが含まれるか否かを検索する検索手段と、前記検索手段により最終回を示すデータが検索された場合、検索日から予め設定された日数経過するまで、前記削除手段によるコンテンツデータの削除を抑制する手段とを備えたコンテンツ記録装置である。
【００３６】
本発明の第２６の観点は、放送される複数の番組のコンテンツデータを記録するコンテンツ記録手段と、前記番組のコンテンツデータを、録画日時と録画時間との設定を受け付けて録画予約する録画予約手段と、前記録画時間に基づいて、番組のコンテンツデータの予約容量を算出する手段と、前記コンテンツデータの予約容量に、前記コンテンツ記録手段の空き容量を超えるまで、次の録画日時に録画予約されたコンテンツデータの予約容量を加算する手段と、前記加算された予約容量が前記空き容量を超えるときの録画日時を表示する手段とを備えたコンテンツ記録装置である。
【発明の効果】
【００３７】
本発明によれば、ユーザの嗜好を反映して、削除すべきコンテンツデータを抽出することができる。さらに、本発明によれば、コンテンツデータを記録する記録装置の記録容量を確保することができる。
【発明を実施するための最良の形態】
【００３８】
以下、図面を参照して本発明の実施形態を説明する。
【００３９】
＜第1の実施形態＞
（１−１．構成）
図１は本発明の第１の実施形態に係るコンテンツ記録システム１０の構成を示す模式図である。
【００４０】
コンテンツ記録システム１０は、ユーザ情報記憶装置２０とコンテンツ記録装置３０とを備え、ＴＶ放送される複数の番組のコンテンツデータを記録する。
【００４１】
ユーザ情報記憶装置２０は、ユーザの嗜好を示す「嗜好データ」を記憶するサーバであり、ネットワークＮＷを介してコンテンツ記録装置３０に嗜好データを提供する機能を有する。ユーザ情報記憶部２０は、ネットワークインタフェース２１・嗜好情報記憶部２２・ＥＰＧ情報処理部２３・アンテナ部２４を備えている。そして、アンテナ部２４により受信した放送番組のＥＰＧ情報を、ＥＰＧ情報処理部２３を介して嗜好情報記憶部２２に記憶する。また、ネットワークインタフェース２１を介して接続されるコンテンツ記録装置３０からユーザ情報を受信して嗜好情報記憶部２２に記憶する。
【００４２】
嗜好情報記憶部２２は、ユーザの嗜好を示す嗜好データを記憶する記憶装置である。具体的には、嗜好データベース（嗜好ＤＢ）２２Ａと、ジャンルデータベース（ジャンルＤＢ）２２Ｂとを構成するファイルを、ユーザを識別するためのユーザ情報に関連付けて記憶する。
【００４３】
嗜好データベース２２Ａのデータ構造は、図２に示すように、ユーザの嗜好を表わす「嗜好単語」と、嗜好単語毎に設定された「嗜好ポイント」とを含むものである。嗜好ポイントは、コンテンツ記録装置３０から送信される番組特徴データに基づいて、予め設定された上限値まで増加していく数値である。具体的には、番組のタイトル名に含まれる単語と嗜好単語とが一致した場合、その一致した回数に応じて、嗜好ポイントを増加する。例えば、嗜好単語として「ハワイ」という単語が予め設定されている場合に、「日帰りハワイの旅」というタイトル名の番組を録画すると、単語「ハワイ」が検索されて嗜好ポイントが増加する。
【００４４】
ジャンルデータベース２２Ｂのデータ構造は、図３に示すように、ユーザが好む「嗜好ジャンル」を示す単語と、嗜好ジャンル毎に設定された「ジャンルポイント」とを含むものである。ジャンルポイントは、コンテンツ記録装置３０から送信される番組特徴データｄ１に基づいて、予め設定された上限値まで増加していく数値である。具体的には、番組特徴データｄ１に含まれるジャンル情報と、予め設定された嗜好ジャンル情報とが一致した場合、その一致した回数に応じて、ジャンルポイントを増加する。
【００４５】
コンテンツ記録装置３０は、ＴＶ放送される複数の番組のコンテンツデータを記録するものである。具体的には、アンテナ部３１で受信したＴＶ番組のコンテンツデータを、受信部３２・記録処理部３３を介してコンテンツ記録部３４に記録する。コンテンツ記録部３４は、ＨＤＤ等の記録装置である。また、操作入力部３５からコンテンツデータの再生指示が送出されると、コンテンツ記録部３４に記録されているコンテンツデータを、再生処理部３６が読み出して再生する。再生されるコンテンツデータは、出力部３７を介して表示装置１００等に表示される。これにより、ユーザは、コンテンツ記録部３４に記録されたコンテンツデータを視聴することができる。なお、コンテンツ記録部３４に記録される番組の番組情報は、コンテンツ記録装置３０に割り当てられる「ユーザ情報」とともにユーザ情報記憶部２０に送出される。
【００４６】
また、コンテンツ記録装置３０は、番組情報記憶部４０を備え、コンテンツ記録部３４に記録されるＴＶ番組の番組情報を記録する。
【００４７】
番組情報記憶部４０は、図４に示すように、番組毎に、番組の特徴を示す「番組特徴データｄ１」と、番組を記録した記録時間を示す「記録時間データｄ２」と、番組をユーザが視聴した視聴時間を示す「視聴時間データｄ３」と、番組をユーザが最後に視聴した最終視聴日を示す「最終視聴日データｄ４」と、番組の記録方法を示す「記録種別データｄ５」とを関連付けて記憶する記憶装置である。なお、番組特徴データｄ１には、番組のタイトルを示すタイトルＩＤ，タイトルの名称，番組の詳細内容，番組のジャンル等の情報が含まれる。また、記録種別データｄ５としては、少なくとも手動録画・番組指定録画・自動録画のそれぞれを識別するデータが定義される。
【００４８】
さらに、コンテンツ記録装置３０は、第１算出部５１・第２算出部５２・第３算出部５３・第４算出部５４・総合削除推薦ポイント算出部５５・リスト作成部５６とを備え、コンテンツ記録部３４に記録されるコンテンツデータのうち、ユーザに対して削除を促すコンテンツデータを示す「削除推薦リスト」を作成する機能を有する。
【００４９】
第１算出部５１は、番組毎に、番組情報記憶部４０から読み出した番組特徴データｄ１と、ネットワークＮＷを介して嗜好情報記憶部２２から抽出した嗜好データとに基づいて、コンテンツデータの削除を推薦するための「第１削除推薦ポイントＡ１」を算出するものである。第1削除推薦ポイントＡ１の算出は、後述するステップＳ４〜ステップＳ１３の手順により行なう。
【００５０】
第２算出部５２は、番組情報記憶部４０から最終視聴日データｄ４を読み出し、最終視聴日からの放置時間に応じて設定される「第２削除推薦ポイントＡ２」を番組毎に算出するものである。例えば、最終視聴日から２週間（１４日）を経過した後に、１日経過する毎に累積されるポイントを第２削除推薦ポイントＡ２として算出する。
【００５１】
第３算出部５３は、番組情報記憶部４０から記録時間データｄ２と視聴時間データｄ３とを読み出し、視聴時間を記録時間で割った値を示す「第３削除推薦ポイントＡ３」を番組毎に算出するものである。なお、第３削除推薦ポイントＡ３を、ＥＰＧ情報から取得した放送時間データｄ６も参考にして算出してもよい。この場合は、放送時間と記録時間とのうち短い時間で視聴時間を割った値を第３削除推薦ポイントＡ３とする。
【００５２】
第４算出部５４は、番組情報記憶部４０から記録種別データｄ５を読み出し、記録方法に応じて予め設定された値を「第４削除推薦ポイントＡ４」として番組毎に算出するものである。ここでは、第4削除推薦ポイントＡ４として、手動録画・番組指定録画・自動録画の順に大きな値が設定されている。
【００５３】
総合削除推薦ポイント算出部５５は、第１削除推薦ポイントＡ１〜第４削除推薦ポイントＡ４の積を「総合削除推薦ポイントＡＳ」として番組毎に算出するものである。ただし、総合削除推薦ポイント算出部５５は、第３削除推薦ポイントＡ３が予め設定された値より小さい番組については、総合削除推薦ポイントＡＳを算出しない。換言すれば、第３削除推薦ポイントＡ３が予め設定された値より大きい場合にのみ、総合削除推薦ポイントＡＳを算出する。
【００５４】
リスト作成部５６は、番組を識別する番組識別情報を総合削除推薦ポイントＡＳ順に並べた削除推薦リストを作成するものである。なお、「番組識別情報」としては、番組の画像見本を小さく表示したサムネールや、番組のタイトル名および詳細情報を表示したテキスト情報などが挙げられる。番組識別情報がサムネールの場合、総合削除推薦ポイントＡＳに応じた色調でサムネールが表示される。また、総合削除推薦ポイントＡＳが予め設定された値以上の番組のみが表示された削除推薦リストが作成される。作成された削除推薦リストは、出力部３７を介して表示装置１００等に表示される。
【００５５】
（１−２．動作）
次に、本実施形態に係るコンテンツ記録装置３０による削除推薦リストの作成処理を図５のフローチャートを用いて説明する。
【００５６】
始めに、操作入力部３５等を介して、削除推薦リストの作成命令がリスト作成部５６に送出される。
【００５７】
リスト作成部５６は、削除推薦リストの作成命令を受け取ると、番組情報記憶部４０に記憶された全番組のタイトルＩＤのうち、一番小さい値を示すタイトルＩＤ（最小タイトルＩＤ）を選択する（ステップＳ１）。リスト作成部５６は、選択したタイトルＩＤとともに総合削除推薦ポイントＡＳの計算命令を、総合削除推薦ポイント算出部５５に送出する。
【００５８】
総合削除推薦ポイント算出部５５は計算命令を受け取ると、総合削除推薦ポイントＡＳの計算を開始する。具体的には、まず、第３算出部５３に、リスト作成部５６から受け取ったタイトルＩＤとともに計算命令を送出する。
【００５９】
第３算出部５３は、総合削除推薦ポイント算出部５５からタイトルＩＤを受け取ると、そのタイトルＩＤに対応する記録時間データｄ２と視聴時間データｄ３とを番組情報記憶部４０から読み出す。視聴時間を記録時間で割った値を第３削除推薦ポイントＡ３として算出する（ステップＳ２）。第３削除推薦ポイントＡ３と予め設定された設定値Ｘ３とを比較する。そして、比較の結果を、総合削除推薦ポイント算出部５５に送出する。
【００６０】
総合削除推薦ポイント算出部５５は、第３削除推薦ポイントＡ３が設定値Ｘ３以上の場合（Ａ３≧Ｘ３）、第1算出部５１に計算命令を送出する（ステップＳ３−Ｙｅｓ）。一方、第３削除推薦ポイントＡ３が設定値Ｘ３より小さい場合（Ａ３＜Ｘ３）、第1算出部５１に計算命令を送出しない。
【００６１】
第1算出部５１は計算命令を受け取ると、第１削除推薦ポイントＡ１の計算を開始する。具体的には、以下の手順により、第1削除推薦ポイントＡ１の計算を行なう。
【００６２】
まず、第1算出部５１は、ユーザの番組に対する嗜好度を示す「推薦ポイント」を初期化する（ステップＳ４）。次に、ユーザ情報記憶装置２０に接続し、ジャンルデータベース２２Ｂからタイトルのジャンルに対応するジャンルポイントを取得する。そして、取得したジャンルポイントを、推薦ポイントに加算する（ステップＳ５）。
【００６３】
続いて、第1算出部５１は、タイトルＩＤに関連付けられたタイトル名を番組情報記憶部４０から読み出す。また、ユーザ情報記憶装置２０の嗜好データベース２２Ａから嗜好単語を抽出する（ステップＳ６）。そして、タイトル名の文頭の単語（文頭単語）と嗜好単語とを比較する。比較の結果、嗜好単語が文頭単語と一致する場合、その嗜好単語の嗜好ポイントを取得する（ステップＳ７−Ｙｅｓ，Ｓ８）。取得した嗜好ポイントを推薦ポイントに加算する（ステップＳ９）。なお、ステップＳ７において、文頭単語と嗜好単語とが一致しない場合は、そのまま、次の処理に進む（ステップＳ７−Ｎｏ，Ｓ１０）。
【００６４】
次に、第1算出部５１は、タイトル名の文末の単語（文末単語）と嗜好単語との比較が終了しているか否かを判定する（ステップＳ１０）。判定の結果、文末単語と嗜好単語との比較が終了していない場合、タイトル名に含まれる「次の単語」を抽出する（ステップＳ１０−Ｎｏ，Ｓ１１）。それから、次の単語と嗜好単語とを比較する（ステップＳ７）。そして、ステップＳ７〜ステップＳ９の処理と同様の処理を、文末単語と嗜好単語との比較が終了するまで繰り返す。
【００６５】
また、第1算出部５１は、ステップＳ１０において、文末単語と嗜好単語との比較が終了した後、ステップＳ５〜ステップ１０の処理と同様の処理により、タイトルＩＤに関連付けられた番組の「詳細内容」に含まれる単語と嗜好単語とを比較し、嗜好ポイントを推薦ポイントに加算する（ステップＳ１０−Ｙｅｓ，Ｓ１２）。
【００６６】
そして、第1算出部５１は、推薦ポイントを、予め定められた上限値から引き算して、第1削除推薦ポイントＡ１を算出する（ステップＳ１３）。すなわち、推薦ポイントは、ユーザの嗜好を示しているので、その順番を逆にしたものが削除推薦の順位を示すことになる。なお、推薦ポイントが上限値を超える場合、削除推薦ポイントＡ１は０となる。また、第1算出部５１は、算出した第1削除推薦ポイントＡ１を、総合削除推薦ポイント算出部５５に送出する。
【００６７】
次に、総合削除推薦ポイント算出部５５は、第２算出部５２に計算命令を送出する。
【００６８】
第２算出部５２は計算命令を受け取ると、番組情報記憶部４０から最終視聴日データｄ４を抽出し、最終視聴日からの放置時間に応じて第２削除推薦ポイントＡ２を算出する（ステップＳ１４）。また、第２算出部５２は、算出した第２削除推薦ポイントＡ２を、総合削除推薦ポイント算出部５５に送出する。
【００６９】
続いて、総合削除推薦ポイント算出部５５は、第４算出部５４に計算命令を送出する。
【００７０】
第４算出部５４は計算命令を受け取ると、番組情報記憶部４０から記録種別データｄ５を抽出し、記録方法に応じて設定された第４削除推薦ポイントＡ４を算出する（ステップＳ１５）。また、第４算出部５４は、算出した第４削除推薦ポイントＡ４を、総合削除推薦ポイント算出部５５に送出する。
【００７１】
次に、総合削除推薦ポイント算出部５５は、第1算出部５１〜第４算出部５４から送出された各削除推薦ポイントＡ１・Ａ２・Ａ３・Ａ４を掛け合わせて、総合削除推薦ポイントＡＳを算出する（ステップＳ１６）。また、算出した総合削除推薦ポイントＡＳを、リスト作成部５６に送出する。なお、ステップＳ３において、第1算出部５１により第1削除推薦ポイントＡ１が算出されない場合には（ステップＳ３−Ｎｏ）、総合削除推薦ポイントＡＳを算出しない（ＮＵＬＬを示す）。
【００７２】
上述したステップＳ２〜ステップＳ１６までの処理と同様の処理を、リスト作成部５６は、一番大きい値を示すタイトルＩＤ（最大タイトルＩＤ）についての総合削除推薦ポイントＡＳの計算がなされるまで、タイトルＩＤ順に実行する（ステップＳ１７−Ｎｏ，Ｓ１８）。最大タイトルＩＤについての計算が終了した後、リスト作成部５６は、総合削除推薦ポイントＡＳ順にタイトルＩＤをソートする（ステップＳ１７−Ｙｅｓ，Ｓ１９）。そして、タイトルＩＤに関連付けられた番組識別情報をリスト化した削除推薦リストを作成する（ステップＳ２０）。
【００７３】
（１−３．効果）
以上説明したように、本実施形態に係るコンテンツ記録装置３０によれば、番組毎に、番組特徴データｄ１・記録時間データｄ２・視聴時間データｄ３・最終視聴日データｄ４・記録種別データｄ５を記憶する番組情報記憶部４０と、番組特徴データｄ１とユーザの嗜好データとに基づいて第１削除推薦ポイントＡ１を算出する第１算出部５１と、最終視聴日データに基づいて第２削除推薦ポイントＡ２を算出する第２算出部５２と、視聴時間データｄ３に基づいて第３削除推薦ポイントＡ３を算出する第３算出部５３と、記録方法に応じた第４削除推薦ポイントＡ４を算出する第４算出部５４と、各削除推薦ポイントＡ１・Ａ２・Ａ３・Ａ４に基づいて総合削除推薦ポイントＡＳを番組毎に算出する総合削除推薦ポイント算出部５５と、番組を識別する番組識別情報を総合削除推薦ポイントＡＳ順に並べた削除推薦リストを作成するリスト作成部５６とを備えた構成により、ユーザの嗜好を反映して、削除すべきコンテンツデータを抽出した削除推薦リストを作成することができる。この結果、コンテンツ記録部３４に記録した番組のうち削除する番組を簡単に探し出すことができる。
【００７４】
また、総合削除推薦ポイント算出部５５は、第３削除推薦ポイントＡ３が予め設定された値より小さい番組については、総合削除推薦ポイントＡＳを算出しないので、不要な演算を減らすことができる。
【００７５】
また、第３算出部５３は、ＥＰＧ情報から取得した放送時間と実際に録画した録画時間とのうち、短い時間で割った値を示す第３削除推薦ポイントＡ３を算出するので、放送番組が予定された時間に放送されない場合でも第３削除推薦ポイントＡ３を正確に算出できる。
【００７６】
また、本実施形態において、記録種別データｄ５は、番組のコンテンツデータの記録方法として、少なくとも手動録画と、番組指定録画と、自動録画のいずれかを示すので、自動録画の削除推薦ポイントを高く設定することができる。
【００７７】
また、本実施形態において、削除推薦リストは、各番組の番組情報が総合削除推薦ポイントＡＳ順に並べて表示されるので、ユーザは、総合削除推薦ポイントＡＳを参照しながら、重要度の低い番組のコンテンツデータを削除することができる。
【００７８】
また、削除推薦リストには、予め設定された値以上の総合削除推薦ポイントＡＳを示す番組の番組情報が表示されるので、重要度の高い番組のコンテンツデータが削除されることを防ぐことができる。
【００７９】
また、削除推薦リストには、各番組のサムネール画像が総合削除推薦ポイントＡＳ順に、当該ポイントに応じた色調で表示されるので、ユーザは、番組の重要度を視覚により把握することができる。
【００８０】
なお、削除推薦リストは、そのリストに表示された番組が操作入力部３７等により選択された場合に、選択された番組のコンテンツデータを再生させるものであってもよい。これにより、削除推薦リストに表示された番組情報のうちに、選択された番組情報のコンテンツデータが再生されるので、当該コンテンツデータを削除する前に、ユーザが番組の内容を確認することができる。
【００８１】
また、総合削除推薦ポイントＡＳは、例えば以下のようにして計算される。まず、第４削除推薦ポイントＡ４として、記録種別が自動録画なら１、そうでなければ０とする。また、第３削除推薦ポイントは、１０％未満なら１、そうでなければ０とする。また、第１削除推薦ポイントＡ１は、推薦ポイント（ユーザの嗜好を示す値）に応じて減少する値をとる。それゆえ、第1削除推薦ポイントＡ１の上限が仮に１００点とすると、推薦ポイントが８０点ならば、その差の２０点とする。また、第２削除推薦ポイントは、１４日を経過した後の放置日数を示す。ただし、１４日経過前の値はカウントしない。以上の設定により、図６に示す番組の総合削除推薦ポイントＡＳを求めると、それぞれ以下の値が算出される。なお、ＡＳ＝Ａ４×Ａ３×Ａ１×Ａ２として表わしている。
【００８２】
タイトルＡについては、ＡＳ＝１×１×（１００−６０）×（１５−１４）＝４０。
【００８３】
タイトルＢについては、ＡＳ＝１×１×（１００−７０）×（１６−１４）＝６０。
【００８４】
タイトルＣについては、ＡＳ＝１×０×（１００−３０）×（１９−１４）＝０。
【００８５】
なお、番組情報記憶部４０は、番組毎に、同名タイトルで放送される連続番組を識別するシリーズＩＤを関連付けて記憶し、シリーズＩＤが同一の番組の総合削除推薦ポイントを加算し、加算された総合削除推薦ポイント順に、シリーズＩＤに関連付けられた連続番組のタイトルを並べた削除推薦リストを作成するとしてもよい。
【００８６】
この場合、削除対象として、連続番組をひとまとめにしたものを削除推薦することができる。
【００８７】
＜第２の実施形態＞
本発明の第２の実施形態に係るコンテンツ記録装置３０は、予め作成された所定の削除推薦ポイントに従ってコンテンツデータを削除する。削除推薦ポイントは特許文献１に記載のものでもよいし、第１の実施形態の総合削除推薦ポイントＡＳでもよい。以下では、所定の削除推薦ポイントとして第１の実施形態の総合削除推薦ポイントＡＳを用いた例を説明する。
具体的には、コンテンツ記録装置３０の電源投入時に、制御部３９により、コンテンツ記録部３４に記録されている全番組のコンテンツデータの記録容量が予め設定された許容量を超えているか否かが判定される。
【００８８】
制御部３９は、記録容量が許容量を超えていると判定した場合、リスト作成部５６に、総合削除推薦ポイントＡＳに基づいて削除推薦リストを作成するように作成命令を送出する。リスト作成部５６は、総合削除推薦ポイント算出部５５に、総合削除推薦ポイントＡＳを番組毎に算出するように計算命令を送出する。
【００８９】
また、制御部３９は、出力部３７に、削除推薦リストに基づいて、削除受付画面を表示するように出力命令を送出する。なお、「削除受付画面」は、コンテンツ記録部３４に記録された全番組のコンテンツデータを予め設定された許容量まで削除することを促すとともに、削除指示を受け付ける画面である。
【００９０】
さらに、制御部３９は、操作入力部３５等の操作により削除受付画面を介して削除指示を受け付けた場合、記録処理部３３に、コンテンツデータの記録容量が許容量を下回るまで、総合削除推薦ポイントＡＳ順に番組のコンテンツデータを削除するように削除指示を送出する。
【００９１】
すなわち、本実施形態に係るコンテンツ記録装置３０において、出力部３７は、コンテンツ記録装置３０本体の電源投入時に、削除受付画面を表示する。そして、削除受付画面を介して削除指示を受け付けた場合、コンテンツ記録部３４の記録容量が許容量を下回るまで、記録処理部３３が、総合削除推薦ポイントＡＳ順に番組のコンテンツデータを削除する。そのため、電源投入時に、重要度の低いコンテンツデータの削除をユーザに促すことができる。この結果、コンテンツデータを記録する記録装置の記録容量を確保することができる。
【００９２】
換言すれば、本実施形態に係るコンテンツ記録装置３０においては、削除受付画面を介して削除指示を受け付けた場合、コンテンツデータを自動削除するので、ユーザが手動で番組タイトルをひとつひとつリモコン操作して削除する必要がなくなる。このため、たくさん録画するユーザにとって、操作が楽になるという効果が生じる。また、ユーザがタイトルを選択しなくてもディスク容量を空けることができる。
【００９３】
なお、制御部３９は、コンテンツ記録装置３０の電源投入時ではなく、番組の録画予約時に、削除指示画面の出力命令を出力部３７に送出するとしてもよい。この場合には、番組の録画予約時に、重要度の低いコンテンツデータを削除して、記録装置の記録容量を確保できる。
【００９４】
なお、削除受付画面は、番組毎にチェックボックスを設定して、設定されたチェックボックスに対応する番組の削除指示を受け付ける画面であってもよい。このようなチェックボックスを用いた削除受付画面によれば、ユーザの選択に応じたコンテンツデータの削除を促すことができる。結果として、重要度の低いコンテンツデータを削除して、コンテンツデータを記録する記録装置の記録容量を確保することができる。
【００９５】
また、削除指示は、ユーザの削除指示に応じて受け付けてもよい。具体的には、図７に示すような選択画面において、「削除・ダビング」のアイコンＩ１をクリックすることにより、図８に示すような削除推薦リストの画面を表示するようにする。そして、削除推薦リストの画面において、例えば、操作入力部３６の操作により「クイックメニュー」を表示し、そのクイックメニューのうち「自動削除」欄Ｉ２を選択することにより、削除推薦リストの画面に表示された全番組を削除するようにする。
【００９６】
なお、自動削除として、電源投入時に、コンテンツ記録部３４に記録されている全番組のコンテンツデータの記録容量が予め設定された容量Ａを超えている場合、容量Ａより小さい値の容量Ｂを記録容量が下回るまで、総合削除推薦ポイントＡＳ順に番組のコンテンツデータを削除するように設定してもよい。
【００９７】
なお、自動削除として、コンテンツ記録部３４の記録容量のうち予め設定された割合Ａの容量を超過した分の番組を、割合Ｂの容量を超えない範囲で削除するように設定してもよい。例えば、割合Ａ＝８０％，割合Ｂ＝６０％とする。そして、番組Ｐ１・Ｐ２・Ｐ３・Ｐ４のコンテンツデータの容量が、コンテンツ記録部３４の記録容量に占める割合を、それぞれ１０％，５％，１０％，５％とする。また、番組Ｐ１・Ｐ２・Ｐ３・Ｐ４の総合削除推薦ポイントの値が、Ｐ１＞Ｐ２＞Ｐ３＞Ｐ４の順であるとする。この場合、コンテンツ記録部３４の記録容量が８２％使用されているとすると、割合Ａを超えているので自動削除を開始する。そして、タイトルＰ１を消す（８２％→７２％）。タイトルＰ２を消す（７２％→６７％）。タイトルＰ３を消す（６７％→５７％）。ここで、割合Ｂより少なくなるので、自動削除を停止する。
【００９８】
＜第３の実施形態＞
図９は本発明の第３の実施形態に係るコンテンツ記録装置３０の構成を示す模式図である。なお、既に説明した部分と同一部分には同一符号を付し、重複した説明を省略する。また、以下の各実施形態も同様にして重複した説明を省略する。
【００９９】
本発明の第３の実施形態に係るコンテンツ記録装置３０は、録画予約部６０を備えている。
【０１００】
録画予約部６０は、操作入力部３５等を介して録画日時・録画時間等を含む「録画予約情報」が設定された場合、その録画日時に録画時間分、番組のコンテンツデータを録画するものである。なお、録画予約情報は、番組情報記憶部４０に送出される。番組情報記憶部４０には、録画予約情報とＥＰＧ情報とに基づいて、図１０に示すようなデータ構造の番組予約データベースファイルが記憶される。
【０１０１】
また、本実施形態に係る記録処理部３３は、総合削除推薦ポイントＡＳ順にコンテンツデータを削除する機能を有する。
【０１０２】
以下、本実施形態に係る記録処理部３３が、コンテンツデータを削除する手順を図１１のフローチャートを用いて説明する。
【０１０３】
始めに、録画予約部６０に操作入力部３５等を介して、新たな録画予約情報が設定されると、番組予約データベースに登録中の録画予約情報が全件取り出される（ステップＴ１，Ｔ２）。そして、録画予約された番組のコンテンツデータの推定容量Ｎが制御部３９により算出される（ステップＴ３）。
【０１０４】
続いて、制御部３９において、コンテンツ記録部３４のＨＤＤの空き容量Ｒｄｉｓｋと推定容量Ｎとが比較される（ステップＴ４，Ｔ５）。
【０１０５】
ここで、空き容量Ｒｄｉｓｋが推定容量Ｎより小さい場合（Ｒｄｉｓｋ＜Ｎ）、削除受付画面の出力命令が制御部３９から出力部３７に送出される（ステップＴ５−Ｙｅｓ）。これにより、削除受付画面が表示装置１００に表示される（ステップＴ６）。なお、削除受付画面は、録画予約された番組のコンテンツデータの削除指示を削除推薦ポイント順に受け付ける。
【０１０６】
続いて、削除受付画面を介して削除指示がユーザにより選択されると（ステップＴ７−Ｙｅｓ）、各番組の削除推薦ポイントが計算されて（ステップＴ８）、削除推薦ポイント順に番組情報がソートされる（ステップＴ９）。さらに、制御部３９において、削除推薦ポイント順に並べたｎ個の番組が占めるディスク容量の合計Ｓ（ｎ）が計算される（ステップＴ１０）。ここで、Ｓ（ｎ−１）＜［指定済みの空ける容量］、かつ、Ｓ（ｎ）＞［指定済みの空ける容量］となるような数値ｎが算出される（ステップＴ１１）。また、Ｓ（ｎ）＞Ｒｄｉｓｋ−Ｎを満たすことが確認される。これらの条件が満たされるまで、ｎ＝ｎ＋１として、ディスク容量の合計Ｓ（ｎ）の計算が繰り返される（ステップＴ１２，Ｔ１３）。
【０１０７】
そして、上記条件が満たされた場合、ｎ番目までの番組名を表示した削除推薦リストを出力して、ユーザに削除確認画面を表示する（ステップＴ１２−Ｙｅｓ，Ｔ１４）。ここで、ユーザにより削除確認が選択されると（ステップＴ１５−Ｙｅｓ）、総合削除推薦ポイント順に並べたｎ個の番組のコンテンツデータが削除される（ステップＴ１６）。一方、削除確認が選択されない場合は、コンテンツデータは削除されない（Ｔ１５−Ｎｏ）。
【０１０８】
以上説明したように本実施形態に係るコンテンツ記録装置３０の制御部３９は、番組の録画予約時に、削除指示画面の出力命令を出力部３７に送出する。これにより、ユーザは録画予約時に、重要度の低いコンテンツデータの録画予約を削除することができる。それゆえ、不要な番組を録画することがなくなるので、記録装置の記録容量を確保し得るコンテンツ記録装置３０を提供することができる。
【０１０９】
＜第４の実施形態＞
本発明の第４の実施形態に係るコンテンツ記録装置３０は、録画予約部６０が、シリーズ録画予約機能を備えるものである。
【０１１０】
「シリーズ録画予約機能」とは、予め設定された放送日時毎に同名タイトルで放送される連続番組のコンテンツデータを、その放送日時を含む録画予約情報を指定して録画予約する機能のことである。なお、連続番組の録画を実現するために、本実施形態に係る番組情報記憶部４０は、番組毎に、同名タイトルを識別するシリーズＩＤを記憶する。また、録画予約部６０は、シリーズ録画予約機能により録画する連続番組に、シリーズＩＤを付与する。
【０１１１】
さらに、本実施形態に係るコンテンツ記録装置３０は、シリーズＩＤ毎にコンテンツデータを削除する機能を有する。
【０１１２】
以下、本実施形態に係る記録処理部３３が、コンテンツデータを削除する手順を説明する。
【０１１３】
まず、コンテンツデータが録画予約された時から予め設定された時間（例、１０時間）を経過すると、制御部３９により、番組情報記憶部４０から記録時間データｄ２と視聴時間データｄ３とがシリーズＩＤ毎に読み出される。
【０１１４】
視聴時間の合計時間が予め設定された時間に満たない場合、同一のシリーズＩＤを有する番組を削除するように削除命令が制御部３９から記録処理部３３に送出される。
【０１１５】
記録処理部３３は、削除命令を受け取ると、同一のシリーズＩＤを有する番組の録画予約情報と、コンテンツ記録部３４に記録される番組のコンテンツデータのうち当該シリーズＩＤを有する番組のコンテンツデータとを削除する。
【０１１６】
以上説明したように、本実施形態に係るコンテンツ記録装置３０は、シリーズ録画予約された番組のコンテンツデータが予め設定された時間を超過したときに、同一のシリーズＩＤを有する番組の総視聴時間が所定の時間に満たないときに、当該シリーズ録画予約された録画予約情報と、同シリーズ番組の記録されたコンテンツデータとを自動的に削除することができる。これにより、不要なコンテンツデータを削除するとともに録画を回避することができるので、記録装置の記録容量を確保し得るコンテンツ記録装置３０を提供することができる。また、ユーザが見ていない番組の予約を削除して、記録装置の記録容量の無駄な使用を回避できる。
【０１１７】
なお、本実施形態に係るコンテンツ記録装置３０において、制御部３９は、番組特徴データｄ１に、最終回を示すデータが含まれるか否かを検索する機能を備えていてもよい。さらに、最終回を示すデータが検索された検索日から予め設定された日数が経過するまで、シリーズＩＤを有する連続番組のコンテンツデータの削除を回避するようにしてもよい。これにより、コンテンツ記録装置３０が、削除推薦ポイント等を利用して番組のコンテンツデータを自動削除するような設定であったとしても、連続番組の最終回から予め設定された日数が経過するまでは、当該連続番組の削除を回避することができる。
【０１１８】
＜第５の実施形態＞
図１２は本発明の第５の実施形態に係るコンテンツ記録装置３０の構成を示す模式図である。
【０１１９】
本発明の第５の実施形態に係るコンテンツ記録装置３０は、録画予約部６０だけでなく、録画容量算出部６１と録画限界日時算出部６２とを備えている。
【０１２０】
録画容量算出部６１は、録画予約部６０に設定された録画時間に基づいて、番組のコンテンツデータの予約容量を算出するものである。
【０１２１】
録画限界日時算出部６２は、録画予約された番組を録画した場合に、コンテンツ記録部３４の記録容量が限界に達する日を求めるものである。具体的には、コンテンツデータの予約容量に、次の録画日時に録画予約されたコンテンツデータの予約容量をコンテンツ記録部３４の空き容量を超えるまで加算し、加算された予約容量が空き容量を超えるときの録画日時を求めるものである。なお、算出した録画日時は表示装置１００等に表示される。
【０１２２】
次に、本実施形態に係るコンテンツ記録装置３０による録画限界日時の表示処理を図１３のフローチャートを用いて説明する。
【０１２３】
始めに、操作入力部３５等を介して録画予約部６０に、録画日時・録画時間等の録画予約情報が設定される（ステップＵ１）。
【０１２４】
続いて、録画容量算出部６１により、録画予約情報のうち録画時間から番組のコンテンツデータの予約容量ｓｉが算出される（ステップＵ２）。
【０１２５】
次に、録画限界日時算出部６２により、録画予約された番組のコンテンツデータの全予約容量Ｓ（ｎ）（≡ｓ１＋ｓ２＋・・・＋ｓｎ）が算出される（ステップＵ３）。続いて、全予約容量Ｓ（ｎ）と空き容量Ｒｄｉｓｋとが比較される（ステップＵ４）。全予約容量Ｓ（ｎ）が空き容量Ｒｄｉｓｋより多い場合、録画日時順に、予約容量が加算される（ステップＵ４−Ｙｅｓ）。具体的には、ｉ番目までに録画予約されている番組の予約容量の合計Ｓ（ｉ）に、次に録画予約されている「次の予約容量ｓｊ」が加算される。これにより、加算容量Ｓ（ｊ）（＝Ｓ（ｉ）＋ｓｊ）が算出される（ステップＵ５）。そして、加算容量Ｓ（ｊ）が空き容量Ｒｄｉｓｋを超えるまで、この計算が繰り返される（ステップＵ６−Ｎｏ，ステップＵ７）。
【０１２６】
加算容量が空き容量を超えた場合、録画限界日時算出部６２により、その際の録画予約日時が抽出され、“ＨＤＤが一杯になる日”として表示装置１００に表示される（ステップＵ６−Ｙｅｓ，Ｕ８，Ｕ９）。
【０１２７】
以上説明したように、本実施形態に係るコンテンツ記録装置３０は、番組のコンテンツデータを、録画日時と録画時間との設定を受け付け、録画時間に基づいて、番組のコンテンツデータの予約容量を算出する録画容量算出部６１と、コンテンツデータの予約容量に、コンテンツ記録部３４の空き容量を超えるまで、次の録画日時に録画予約されたコンテンツデータの予約容量を加算し、加算された予約容量が空き容量を超えるときの録画日時を算出する録画限界日時算出部６２とを備えた構成により、コンテンツ記録部３４の記録容量が一杯になる日をユーザに警告することができる。
【０１２８】
なお、表示装置１００に表示される表示画面について図１４を用いて説明する。
【０１２９】
図１４はコンテンツ記憶部３４のＨＤＤの限界日時を表示する画面を示している。この画面は、Ｒ１〜Ｒ５の欄に区分され、Ｒ４欄に“ＨＤＤが一杯になる日”が表示される。Ｒ５欄には、ＨＤＤが一杯になる日以降に録画予約されている番組情報が表示される。Ｒ１欄は指示画面を示し、Ｒ２欄は既に録画されている番組とその容量がＨＤＤに占める割合を示している。また、Ｒ３欄は録画されている番組をＤＶＤ―ＲＡＭに書き込んだ場合に必要となるＤＶＤ―ＲＡＭの枚数を表示している。
【０１３０】
＜装置の具体例＞
第１乃至第５の実施形態のコンテンツ記録装置３０の具体例を説明する。
【０１３１】
図１５は本発明が適用されたコンテンツ記録装置３０の全体的なブロック構成が示されている。
【０１３２】
図１５では、記録媒体としてＤＶＤなどの光ディスクとハードディスクの双方を取り扱うことができる装置として示している。ただし、ハードディスクあるいはＤＶＤなどの光ディスクは例えば半導体メモリによる記録媒体などに置換されてもよい。図１５において、各ブロックを大きく分けると、左側には記録部の主なブロックを示し，右側には再生部の主なブロックを示している。
【０１３３】
図１５のコンテンツ記録装置３０は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【０１３４】
データプロセッサ部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【０１３５】
また、このコンテンツ記録装置３０は、録画側を構成するエンコーダ部５００と、再生側を構成するデコーダ部６００と、装置本体の動作を制御するマイクロコンピュータブロック３００とを主たる構成要素としている。エンコーダ部５００は、トランスポートストリーム処理部及び複数のエンコーダを含む。
【０１３６】
エンコーダ部５００は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【０１３７】
エンコーダ部５００からのエンコード出力は、バッファメモリ５２０を含むフォーマッタ５１０にて所定のＤＶＤのフォーマットに変換され、先のデータプロセッサ部１００３に供給される。
【０１３８】
なおトランスポートストリームから抽出したパケットエレメンタリーストリームがエンコーダ部５００から直接ハードディスクドライブ部１００４のハードディスクに記録される場合もある。
【０１３９】
エンコーダ部５００には、スイッチ５３０を介して、ＡＶ入力部４１０ａからの外部アナログビデオ信号と外部アナログオーディオ信号とを入力することができる。またエンコーダ部５００には、地上波アナログチューナ４１０ｃ、地上波デジタルチューナ４１０ｃ、衛星ＢＳ／ＣＳチューナ４１０ｅ，衛星アナログチューナ４１０ｅからの受信信号を選択的に入力することができる。また、エンコーダ部５００で複数のデコーダが活用される場合、地上波デジタルチューナ４１０ｃで受信した番組をハードディスクドライブ部１００４で録画し、同時に、衛星ＢＳ／ＣＳチューナ４１０ｄで受信した番組を出力することも可能である。
【０１４０】
なお、エンコーダ部５００は、圧縮されたデジタルビデオ信号やデジタルオーディオ信号が直接入力されるときは、圧縮デジタルビデオ信号やデジタルオーディオ信号を直接フォーマッタ５１０に供給することもできる。またエンコーダ部５００は、アナログデジタル変換されたデジタルビデオ信号やオーディオ信号を、ビデオミキシング部７１０やオーディオセレクタ７６０に直接供給することもできる。
【０１４１】
エンコーダ部５００に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【０１４２】
副映像信号がＡＶ入力部４１０ａから入力された場合（例えば副映像信号の独立出力端子付ＤＶＤビデオプレーヤからの信号など）、あるいはこのようなデータ構成のＤＶＤビデオ信号が放送されて、それがＴＶチューナ部で受信された場合は、ＤＶＤビデオ信号中の副映像信号が副映像エンコーダでエンコード（ランレングス符号化）されて副映像のビットマップとなる。
【０１４３】
エンコードされたデジタルビデオ信号、デジタルオーディオ信号、副映像データは、フォーマッタ５１０にてパック化され、ビデオパック、オーディオパック、副映像パックとなる。さらに、これらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１０は、上記の変換処理のとき、バッファメモリ５２０も利用している。
【０１４４】
また、装置は、フォーマッタ５１０でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。また、ハードディスクあるいは光ディスク１００１に記録された情報を、データプロセッサ部１００３、ディスクドライブ部１００２を介して光ディスク１００１あるいはハードディスクに記録することもできる。
【０１４５】
また、ハードディスクあるいは光ディスク１００１に記録されている複数番組のビデオオブジェクトを、一部削除したり、異なる番組のオブジェクトをつなげたり、といった編集処理を行なうこともできる。
【０１４６】
マイクロコンピュータブロック３００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３００は、ネットワークインタフェース３２０を介して、外部ネットワークに接続することが可能である。これにより、外部のサーバから電子番組案内情報（ＤＥＰＧ：Dynamic Electronic Program Guide）を取り込むことも可能である。
【０１４７】
さらに、マイクロコンピュータブロック３００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【０１４８】
また、マイクロコンピュータブロック３００は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。また、マイクロコンピュータブロック３００は、録画を実行する際の管理情報の制御部３９と、編集を実行する際の管理情報の制御部３９とを備える。
【０１４９】
さらに、マイクロコンピュータブロック３００には、先に説明したように、受信部３２・記録処理部３３・再生処理部３６・出力部３７・制御部３９３９・番組情報記憶部４０・第1算出部５１・第２算出部５２・第３算出部５３・第４算出部５４・総合削除推薦ポイント算出部５５・リスト作成部５６・録画処理部６０・録画容量算出部６１・録画限界日時算出部６２を有する。
【０１５０】
ＭＰＵの実行結果のうち、ユーザに通知すべき内容は、コンテンツ記録装置３０の表示部３８に表示されるか、または表示装置１００のモニターディスプレイにＯＳＤ（オンスクリーンディスプレイ）表示される。
【０１５１】
また、マイクロコンピュータブロック３００は、この装置を操作するための操作信号を与える操作入力部３５を有する。この操作入力部３５は、例えばコンテンツ記録装置１０の本体上に設けた操作スイッチ類や、あるいはリモートコントローラなどに相当する。また、コンテンツ記録装置３０と有線通信あるいは無線通信あるいは光通信や赤外線通信などの手段を用いて接続されたパーソナルコンピューターであってもよい。いずれの形態であるにせよ、ユーザがこの操作入力部３５を操作することにより、入力された映像音声信号の録画処理や、録画されたコンテンツの再生処理、あるいは録画されたコンテンツに対する編集処理などを施すことができる。
【０１５２】
なお、マイクロコンピュータブロック３００が、ディスクドライブ部１００２、ハードディスクドライブ部１００４、データプロセッサ部１００３、エンコーダ部５００及び／またはデコーダ部６００などを制御するタイミングは、ＳＴＣ（システムタイムクロック）３１０からの時間データに基づいて実行することができる。録画や再生の動作は、通常はＳＴＣ３１０からのタイムクロックに同期して実行される。ただし、それ以外の処理は、ＳＴＣ３１０とは独立したタイミングで実行されてもよい。
【０１５３】
デコーダ部６００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。また、デコードされた主映像にデコードされた副映像を適宜合成し、主映像にメニュー、ハイライトボタン、字幕やその他の副映像を重ねて出力するビデオプロセッサを備えている。
【０１５４】
デコーダ部６００の出力ビデオ信号は、ビデオミキシング部７１０に入力される。ビデオミキシング部７１０では、例えばテキストデータの合成が行われる。またビデオミキシング部７１０には、ＴＶチューナやＡＶ入力部４１０aからの信号を直接取り込むラインもまた接続されている。ビデオミキシング部７１０には、バッファとして用いるフレームメモリ７２０が接続されている。ビデオミキシング部７１０の出力がアナログ出力の場合はＩ／Ｆ（インタフェース）７３０を介して外部出力され、デジタル出力の場合はデジタルアナログ変換器７４０を介して外部へ出力される。
【０１５５】
デコーダ部６００の出力オーディオ信号は、セレクタ７６０を介してデジタルアナログ変換器７７０でアナログ変換され外部に出力される。セレクタ７６０は、マイクロコンピュータブロック３００からのセレクト信号により制御される。これにより、セレクタ７６０は、ＴＶチューナやＡＶ入力部４１０aからのデジタル信号を直接モニタする時、エンコーダ部５００をスルーした信号を直接選択することも可能である。
【０１５６】
なお、エンコーダ部５００のフォーマッタでは、録画中、各切り分け情報を作成し、定期的にマイクロコンピュータブロック３００のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【０１５７】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【０１５８】
また、本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【０１５９】
データプロセッサ部１００３は、エンコーダ部５００のフォーマッタからＶＯＢＵ単位のデータを受け取り、ＣＤＡ単位のデータをディスクドライブ部１００２あるいはハードディスクドライブ部１００４に供給している。また、マイクロコンピュータブロック３００のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５００からマイクロコンピュータブロック３００のＭＰＵは、データ単位の情報（切り分け情報など）を受け取る。また、マイクロコンピュータブロック３００のＭＰＵは、記録開始時には光ディスク及びハードディスクから読み取った管理情報（ファイルシステム）を認識し、各ディスクの未記録エリアを認識し、データ上の記録エリアをデータプロセッサ部１００３からディスクに設定している。
【０１６０】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【０１６１】
【図１】本発明の第１の実施形態に係るコンテンツ記録システム１０の構成を示す模式図である。
【図２】同実施形態に係る嗜好データベース２２Ａのデータ構造を示す図である。
【図３】同実施形態に係るジャンルデータベース２２Ｂのデータ構造を示す図である。
【図４】同実施形態に係る番組情報記憶部４０に記憶される情報を示す図である。
【図５】同実施形態に係るコンテンツ記録装置３０による削除推薦リストの作成処理を説明するためのフローチャートである。
【図６】同実施形態に係る総合削除推薦ポイントＡＳの算出方法を説明するための図である。
【図７】本発明の第２の実施形態に係る削除推薦リストの画面遷移を説明するための図である。
【図８】同実施形態に係る削除推薦リストの画面を示す図である。
【図９】本発明の第３の実施形態に係るコンテンツ記録装置３０の構成を示す模式図である。
【図１０】同実施形態に係る番組予約データベースのデータ構造を示す図である。
【図１１】同実施形態に係る記録処理部３３がコンテンツデータを削除する手順を説明するためのフローチャートである。
【図１２】本発明の第５の実施形態に係るコンテンツ記録装置３０の構成を示す模式図である。
【図１３】同実施形態に係るコンテンツ記録装置３０による録画限界日時の表示処理を説明するための図である。
【図１４】同実施形態に係る録画予約限界日時を表示する画面を示す図である。
【図１５】本発明に係る記録装置３０の全体的なブロック構成を示す図である。
【符号の説明】
【０１６２】
１０・・・コンテンツ記録システム、
２０・・・ユーザ情報記憶部、２１・・・ネットワークインタフェース、
２２・・・嗜好情報記憶部、２３・・・ＥＰＧ情報処理部、２４・・・アンテナ部、
３０・・・コンテンツ記録装置、３１・・・アンテナ部、３２・・・受信部、３３・・・記録処理部、
３４・・・コンテンツ記録部、３５・・・操作入力部、３６・・・再生処理部、３７・・・出力部、
３８・・・表示部、３９・・・制御部、４０・・・番組情報記憶部、
５１・・・第１算出部、５２・・・第２算出部、５３・・・第３算出部、５４・・・第４算出部、
５５・・・総合削除推薦ポイント算出部、５６・・・リスト作成部、
６０・・・録画予約部、６１・・・録画容量算出部、６２・・・録画限界日時算出部、
１００・・・表示装置。
【図１】
0004776427.tif 000002
【図２】
0004776427.tif 000003
【図３】
0004776427.tif 000004
【図４】
0004776427.tif 000005
【図５】
0004776427.tif 000006
【図６】
0004776427.tif 000007
【図７】
0004776427.tif 000008
【図８】
0004776427.tif 000009
【図９】
0004776427.tif 000010
【図１０】
0004776427.tif 000011
【図１１】
0004776427.tif 000012
【図１２】
0004776427.tif 000013
【図１３】
0004776427.tif 000014
【図１４】
0004776427.tif 000015
【図１５】
0004776427.tif 000016